(57)【要約】【課題】  本発明は、屋内履きのスリッパや屋外用の履物などに取り付ける中敷に足の親指と第二指間の趾股を分離できるように頭部を笠状にした指ストッパーとその軸部に差し込む趾股保護のクッション材とを中敷の複数の穴に止めねじで取り付けられるようにして固定位置を調整できるようにした外反母趾治療用中敷および履物に関するものである。【解決手段】  中敷（１）に穴（２ｃ）を設け、頭部が笠状にした足指ストッパー（３）の軸部周囲に趾股保護のクッション材（５）をはめ込み、趾股保護のクッション材（５）及び頭部を笠状にした足指ストッパー（３）を止めねじ（４）で中敷（１）の裏面から取り付けられるようにしたことを特徴とする外反母趾治療用中敷および履物。【選択図】    図  １
2005305063.tif 000002
【特許請求の範囲】
【請求項１】
中敷（１）に穴（２ｃ）を設け、頭部を笠状にした穴部（２ａ）を設けた足指ストッパー（３）の軸部の周囲に穴（２ｂ）を設けた趾股保護のクッション材（５）をはめ込み、足の親指と第二指間を分離できるように趾股保護のクッション材（５）及び足指ストッパー（３）を中敷（１）の裏面から止めねじ（４）で固定できるようにした着脱自在の外反母趾治療用中敷。
【請求項２】
中敷（１）に穴（２ｃ）を複数設け、頭部を笠状にした穴（２ａ）を設けた足指ストッパー（３）の軸部の周囲に穴（２ｂ）を設けた趾股保護のクッション（５）をはめ込み、足の親指と第二指間を分離できるように趾股保護のクッション材（５）及び足指ストッパー（３）を中敷（１）の裏面から止めねじ（４）で着脱自在かつ固定位置を変更できるようにした外反母趾治療用中敷。
【請求項３】
履物台（９）の被服面（１０）に穴（２ｇ）を設け、足の親指と第二指間を分離できるように頭部を笠状にした足指ストッパー（３）に趾股保護のクッション材（５）をはめ込み、履物台（９）の被服面（１０）の裏面から取り付けた止めねじ（４）で、趾股保護のクッション材（５）及び足指ストッパー（３）を取り付けるようにした外反母趾治療用履物。
【請求項４】
履物台（９）の被服面（１０）に穴（２ｇ）を設け、足の親指と第二指間を分離できるように頭部を笠状にした足指ストッパー（３）に複数の穴（２ｂ）を設けたクッション材（１１）をはめ込み、履物台（９）の被服面（１０）の裏面から取り付けた止めねじ（４）と、趾股保護のクッション材（５）及び足指ストッパー（３）の取り付けをクッション材（１１）の穴（２ｂ）の位置で変えられるようにした外反母趾治療用履物。
【発明の詳細な説明】
【技術分野】
【０００１】  本発明は、靴の中敷および履物として足の親指と第二指間の趾股を分離する様にした、外反母趾治療用中敷および履物に関するものである。
【背景技術】
【０００２】従来、外反母趾治療に関して、靴などに敷く中敷（インソール）に対しては、中敷にクッション材を挿入して凸凹面で対策していた。また履物としては、鼻緒式で足の親指と第二指間の趾股を分離するなどして対策していた。
【発明の開示】
【発明が解決しようとする課題】
【０００３】  そのために次に様な問題があった。
イ．  靴に使う中敷をクッション材などで凸凹させて対策したものは、屋外でしか使用できず、人によっては凸凹面が適合せず効果がでるまでに時間がかかった。
ロ．  鼻緒式で対策した着物台は、足の親指と第二指間に挟む趾股保護のクッション材（５）がなく、また鼻緒位置が固定されているため、痛くて使えない人もいた。
ハ．  項イおよび項ロで対策した中敷および履物では、足の親指と第二指がつま先で重なる症状に対しては第二指のつま先が浮き上がるという問題があった。
ニ．  以上の対策ではいずれも屋外でしか対策できないため効果がうすらいだ。
本発明は、上記の問題を解決するためになされたものである。
【課題を解決するための手段】
【０００４】  上記問題を解決するために、中敷（１）に穴（２ｃ）を設け、頭部を笠状にした足指ストッパー（３）の軸部の周囲に趾股保護のクッション材（５）をはめ込み、クッション材（５）及び足指ストッパー（３）を止めねじ（４）で中敷（１）の裏面から固定できる、また前記穴（２ｃ）を複数設けて止めねじ（４）でクッション材（５）及び足指ストッパー（３）の取り付け位置を変更できる様にした。
本発明は、以上のような構成からなる外反母趾治療用中敷である。
【発明の効果】
【０００５】  本発明を使用することによって、外反母趾治療として、足の親指と第二指間が分離でき、かつ頭を笠状にした足指ストッパーにしたことで第二指が浮きあがらずしっかりと固定できる。また本中敷を屋内のスリッパなどの履物に着脱できるようにしたので屋内外を問わず常時使用でき更なる治療効果が期待できる。本発明の中敷は、外反母趾治療用として足の症状に合わせて図７で示す複数設けた中敷の穴に足指ストッパーを取り付けてその位置を変えることで足の親指と第二指間の分離角度が調節でき、足を痛めることも無く段階的に治療できる。
【発明を実施するための最良の形態】
【０００６】以下、本発明の実施の形態について説明する
（イ）  中敷（１）に中敷の穴（２ｃ）を設ける。
（ロ）  軟性のプラスチック材からなる頭部を笠状にした足指ストッパー（３）の軸部に穴部（２ａ）を設け、その軸部内側には、凹部（８）と前記穴部（２ａ）の上部には足指ストッパー凸部（２ｅ）を設けている。
（ハ）  軸部の外周に穴（２ｂ）を設けた足指に優しい弾性体材からなる趾股保護のクッション材（５）をはめ込む。
（ニ）  中敷（１）の穴（２ｃ）の裏より止めるプラスチック材からなる止めねじ（４）は、凸部が底面に行くほど大きくなるようにしたねじ凸部（６）と溝（２ｄ）と爪（２ｆ）と頭を平坦にしたねじ底皿部（７）とをもち図４に示す通り、中敷（１）とクッション材（５）及び足指ストッパー（３）までを固定することができる。
（ホ）  止めねじ（４）のねじ凸部（６）と溝（２ｄ）とが足指ストッパー（３）の軸部の穴部（２ａ）の凹部（８）とストッパー凸部（２ｅ）とで嵌合して爪（２ｆ）が開き穴部（２ａ）内で密着して簡単に外れない構造になっている。
本発明は以上の構成によりなっている。
本発明の使用するときは、図３に示す通り中敷の穴に止めねじを裏から差込み、頭部を笠状にした足指ストッパーにクッション材を差込み、次に止めネジを差込み、足指ストッパーの穴内部の足指ストッパー凹部とねじの凹部とストッパー凸部とねじ溝とで止まる。この状態にした中敷を図５及び図６で示すように履物へ嵌め込み使用する。中敷きの裏面は滑りにくい素材や面ファスナーなどで作成して履物台と容易に剥がれないようにしてもよく、また図８の履物台の被覆面そのものに穴をあけて止めねじを予め埋め込んでおくのもよく、そのときは、ねじの位置は固定でも、図９で示すクッション材の穴を複数あけて穴に止めネジを差し込むことで位置を変更できるようにして自在に人の足の状態に合わせることもできる。
【図面の簡単な説明】
【０００７】
【図１】本発明の斜視図
【図２】本発明の側面図
【図３】本発明の分解斜視図
【図４】本発明の断面図
【図５】本発明の使用状態の斜視図
【図６】本発明の使用状態の平面図
【図７】本発明の中敷の平面図
【図８】本発明の履物の使用状態の斜視図
【図９】本発明のクッション材の一実施例の斜視図
【符号の説明】
【０００８】    １    中敷
２ａ  穴部
２ｂ  クッション材の穴
２ｃ  中敷の穴
２ｄ  溝
２ｅ  ストッパー凸部
２ｆ  爪
２ｇ  被服面穴
３    足指ストッパー
４    止めねじ
５    クッション材
６    ねじ凸部
７    ねじ底皿部
８    凹部
９    履物台
１０  履物台の被服面
１１  複数穴を設けたクッション材
【図１】
2005305063.tif 000003
【図２】
2005305063.tif 000004
【図３】
2005305063.tif 000005
【図４】
2005305063.tif 000006
【図５】
2005305063.tif 000007
【図６】
2005305063.tif 000008
【図７】
2005305063.tif 000009
【図８】
2005305063.tif 000010
【図９】
2005305063.tif 000011